(57)【要約】【課題】無線リモコンの電池が消耗した場合でも、確実に熱源機のタイマ予約運転を確保することを目的としたものである。【解決手段】熱源機１と、複数の放熱手段２ａ，２ｂ，２ｃと、タイマ予約機能及び電池電圧検出手段１６ａ，１６ｂを有し前記熱源機１を遠隔操作する無線リモコン３ａ，３ｂ，３ｃと、前記無線リモコン３ａ，３ｂ，３ｃからの通信内容を中継し前記熱源機１に運転指示を出す中継器４とを備え、前記無線リモコン３ａ，３ｂ，３ｃから中継器４にタイマ予約運転の通信を行った後、前記電池電圧検出手段１６ａ，１６ｂ，１６ｃが電池切れ予告を検出すると、以降の無線リモコン３ａ，３ｂ，３ｃからの通信を受け付けないようにするとともに、既に受け付けた通信内容に基づき中継器４がタイマ予約運転を行うようにしてある。【選択図】  図１
2004191004.tif 000002
【特許請求の範囲】
【請求項１】
熱源機と、複数の放熱手段と、タイマ予約機能及び電池電圧検出手段を有し前記熱源機を遠隔操作する無線リモコンと、前記無線リモコンからの通信内容を中継し前記熱源機に運転指示を出す中継器とを備え、前記無線リモコンから中継器にタイマ予約運転の通信を行った後、前記電池電圧検出手段が電池切れ予告を検出すると、以降の無線リモコンからの通信を受け付けないようにするとともに、既に受け付けた通信内容に基づき中継器がタイマ予約運転を行うようにした無線暖房制御装置。
【請求項２】
中継器はタイマ予約機能を入切する中継器タイマ予約操作手段を有した請求項１記載の無線暖房制御装置。
【請求項３】
中継器はタイマ予約機能の入切を表示する中継器タイマ予約表示手段を有する請求項２記載の無線暖房制御装置。
【発明の詳細な説明】
【０００１】
【発明の属する技術分野】
本発明は、特に無線通信暖房制御システムに関するものである。
【０００２】
【従来の技術】
従来この種の暖房制御システムは、有線通信とするのが一般的であった（例えば、特開文献１参照）。
【０００３】
従来の暖房制御システムについて図５に示す床暖房制御システムを用いて説明すると、例えば、熱源機１から四つの放熱パネル２０ａ、２０ｂ、２０ｃ、２０ｄに温水弁２１ａ、２１ｂ、２１ｃ、２１ｄを介して温水往パイプ２２ａ、２２ｂ、２２ｃ、２２ｄが接続されており、温水戻パイプ２３は統合されて熱源機１へ接続されている。
【０００４】
一方、床暖房リモコン２４ａ、２４ｂ、２４ｃ、２４ｄは、放熱パネル２０ａのある部屋に床暖房リモコン２４ａが、放熱パネル２０ｂのある部屋に床暖房リモコン２４ｂが、放熱パネル２０ｃのある部屋に床暖房リモコン２４ｃが、放熱パネル２０ｄのある部屋に床暖房リモコン２４ｄがそれぞれ取り付けられ、熱源機１はたとえば床暖房リモコン２４ａの要求に応じて温水弁２１ａを開き放熱パネル２０ａを加熱する。すなわち、熱源機１内には、たとえば、４系統の床暖房を接続できる熱源機である場合、一つの床暖房リモコン接続端子に対し、それに連動して動作する温水弁接続端子が必ず一つあり、これらの組み合わせが４組あるということになっていた。この４組という組数は、熱源機の能力に応じて何組であってもかまわない。
【０００５】
また、床暖房リモコン２４ａ、２４ｂ、２４ｃ、２４ｄはタイマ予約機能を備えており、現在時刻、タイマ入時刻、タイマ切時刻を設定可能であり、タイマ予約運転スイッチのオン／オフ操作によりタイマ予約機能を使用することができる。
【０００６】
タイマ予約運転機能を有効にすると、図６に示すように現在時刻ｔがタイマ入時刻ｔ１と一致すると床暖房リモコンが運転オン信号を熱源機１へ送信し（ｓ２１）、熱源機１は有線床暖房リモコンに応答（ＡＣＫ）（ｓ２３）を返し、指示された系統ａの開閉部２１ａをオンし（ｓ２２）暖房燃焼を始める。
【０００７】
また、現在時刻ｔ＋Δｔがタイマ切時刻ｔ２と一致すると床暖房リモコンが運転オフ信号を熱源機１へ送信し（ｓ２４）、熱源機１は有線床暖房リモコンに応答（ＡＣＫ）（ｓ２６）を返し、指示された系統ａの開閉部２１ａをオフし（ｓ２５）暖房燃焼を停止するものである。
【０００８】
現在時刻、タイマ入時刻、タイマ切時刻は床暖房リモコン個別に設定可能であり、現在時刻のカウントやタイマ入時刻、タイマ切時刻の記憶は各々の床暖房リモコン内で管理している。
【０００９】
【特許文献１】
特開２０００−１１１０６４号公報
【００１０】
【発明が解決しようとする課題】
しかしながら、従来の床暖房制御システムでは、設置された放熱パネルの数だけ床暖房リモコンの配線工事が必要であり、施工性の悪さが課題であった。
【００１１】
また、配線工事の手間を省くため無線式床暖房リモコンを採用する場合、熱源機との通信を行うための中継器を設置し、この中継器に従来の有線通信を無線通信に変換する変換手段を設ける必要がある。そして、放熱パネルのある部屋に電池駆動の無線床暖房リモコンを設置すると、電池が消耗した場合においては無線床暖房リモコンが使用できず、床暖房制御が不可能となることに配慮する必要があった。
【００１２】
【課題を解決するための手段】
本発明は上記課題を解決するために、タイマ予約機能及び電池電圧検出手段を有し前記熱源機を遠隔操作する無線リモコンと、前記無線リモコンからの通信内容を中継し前記熱源機に運転指示を出す中継器とを備え、前記無線リモコンから中継器にタイマ予約運転の通信を行った後、前記電池電圧検出手段が電池切れ予告を検出すると、以降の無線リモコンからの通信を受け付けないようにするとともに、既に受け付けた通信内容に基づき中継器がタイマ予約運転を行うようにしたものである。
【００１３】
上記発明によれば、無線リモコンの電池が消耗した場合でも、それ以前にタイマ予約運転の指示を中継器に送信しておけば、指示した時間になれば中継器と熱源機の間で自動的に通信を行いタイマ予約運転を行うため、信頼性の高い遠隔制御が実現できるとともに、施工性の向上を図ることができる。
【００１４】
【発明の実施の形態】
本願請求項１記載の発明は、熱源機と、複数の放熱手段と、タイマ予約機能及び電池電圧検出手段を有し前記熱源機を遠隔操作する無線リモコンと、前記無線リモコンからの通信内容を中継し前記熱源機に運転指示を出す中継器とを備え、前記無線リモコンから中継器にタイマ予約運転の通信を行った後、前記電池電圧検出手段が電池切れ予告を検出すると、以降の無線リモコンからの通信を受け付けないようにするとともに、既に受け付けた通信内容に基づき中継器がタイマ予約運転を行うようにしたものである。
【００１５】
そして、施工性を向上した無線リモコンでありながら、該リモコンの電池電圧が低下しても、中継器が前記無線リモコンに代わりタイマ予約運転を行い暖房制御可能にするため、信頼性の高い遠隔制御を実現できる。
【００１６】
また、請求項２記載の発明は、中継器はタイマ予約機能を入切する中継器タイマ予約操作手段を備えたものである。
【００１７】
そして、ユーザの要望に合わせてタイマ予約機能を入切することができ、使い勝手が向上する。
【００１８】
また、請求項３記載の発明は、中継器はタイマ予約機能の入切を表示する中継器タイマ予約表示手段を備えたものである。
【００１９】
そして、タイマ予約機能の入切状態を確認することができる。
【００２０】
【実施例】
以下、本発明の実施例について図面を参照して説明する。
【００２１】
（実施例１）
図１は、本発明の一実施例としての無線床暖房制御装置である。
【００２２】
まず、床暖放熱パネルの制御方法について説明すると、１は熱源機で、２ａ、２ｂ、２ｃは複数の放熱手段でリビングルームやダイニングルームに敷設される床暖放熱パネルである。３ａ、３ｂ、３ｃは無線床暖房リモコン、４は中継器である。
【００２３】
無線床暖房リモコンでは暖房運転スイッチ７ａ、７ｂ、７ｃを操作すると、リモコン無線通信手段６ａ、６ｂ、６ｃに運転要求が指示される。中継器４にある中継器無線通信手段１１は無線床暖房リモコンのリモコン無線通信手段６ａ、６ｂ、６ｃから運転要求信号を受け取り、データ変換手段１２に送る。データ変換手段１２は無線通信プロトコルを双方向通信プロトコルに変換し中継器有線通信手段１０へデータを送る。有線通信手段１０は通信線１７ａ、１７ｂ、１７ｃを介して熱源有線通信手段８にデータを送る。熱源有線通信手段８はどの通信線から運転信号がきたかを示す系統番号と運転要求信号を熱源制御手段９に送る。熱源制御手段９は運転要求信号を受けると指示された系統番号を判断し、該当する床暖放熱パネルの開閉部５ａまたは５ｂまたは５ｃを開け、温水を供給することで放熱パネルを暖め、暖房運転を行う。
【００２４】
次に図２に基づいて、暖房運転時の通信方法について説明する。
【００２５】
無線床暖房リモコン３ａからの運転指示データには系統番号ａの情報も付加されている（ｓ１）。この情報を受け取った中継器は、まず応答（ＡＣＫ）を無線床暖リモコン３ａに返し（ｓ２）、その後、熱源機１に対して１７ａの信号線を用いて系統ａの運転オン信号を送信する（ｓ３）。熱源機１は中継器４に応答（ＡＣＫ）を返し（ｓ５）、指示された系統ａの開閉部５ａをオンし暖房燃焼を始める（ｓ４）。
【００２６】
以下、無線床暖房リモコン３ｂからの運転指示を中継器４が受けた場合も同様に、ｓ６からｓ１０の流れで開閉弁５ｂがオンし、無線床暖房リモコン３ｃからの運転指示の場合もｓ１１からｓ１５の流れで開閉弁５ｃがオンする。
【００２７】
次に図３を用いて本発明の一実施例について説明する。
【００２８】
無線床暖房リモコン３ａは現在時刻設定手段１３ａにて現在時刻を設定すると、中継器４へ設定した時刻を送信する（ｓ１６）。この情報を受け取った中継器４は、まず応答（ＡＣＫ）を無線床暖リモコン３ａに返し（ｓ１７）、受信した時刻を現在時刻としてカウント開始する。
【００２９】
そして、タイマ入時刻設定手段１４ａにてタイマ入時刻の設定をすると、中継器４へ設定した時刻を送信し（ｓ１８）、この情報を受け取った中継器４は、まず応答（ＡＣＫ）を無線床暖リモコン３ａに返し（ｓ１９）、受信した時刻を系統ａのタイマ入時刻として記憶する。同様に、タイマ切時刻設定手段１５ａにてタイマ切時の刻設定をすると、中継器４へ設定した時刻を送信し（ｓ２０）、この情報を受け取った中継器４はまず応答（ＡＣＫ）を無線床暖リモコン３ａに返し（ｓ２１）、受信した時刻を系統ａのタイマ切時刻として記憶する。
【００３０】
これは、無線床暖房リモコン３ｂまたは３ｃの場合も同様で、系統ｂのタイマ入時刻、系統ｂのタイマ切時刻、または系統ｃのタイマ入時刻、系統ｃのタイマ切時刻として記憶される。
【００３１】
無線床暖房リモコン３ａは電池電圧検出手段１６ａにて電池電圧を監視しており、電池電圧が電池切れ予告電圧を検知すると電池切れ予告を中継器４へ送信する（ｓ２２）。電池切れ予告電圧とは、これ以上使用すると操作や無線通信が正常に機能しなくなるおそれがある電圧であり、電池切れ予告電圧を検知すると、以降の無線床暖房リモコン機能を受け付けないようにしている。
【００３２】
中継器４は電池切れ予告を受信すると、無線床暖房リモコン３ａに応答（ＡＣＫ）を返し（ｓ２３）、系統ａの予約機能を有効とした動作に切り換える。中継器４がカウントしている現在時刻ｔが系統ａのタイマ入時刻ｔ１と一致すると、中継器４は運転開始信号を熱源機１へ送信し（ｓ２４）、熱源機１は中継器４に応答（ＡＣＫ）を返し（ｓ２６）、指示された系統ａの開閉部５ａをオンし暖房燃焼を始める（ｓ２５）。
【００３３】
また、現在時刻ｔ＋Δｔが系統ａのタイマ切時刻ｔ２になると中継器４は運転停止信号を熱源機１へ送信し（ｓ２７）、熱源機１は中継器４に応答（ＡＣＫ）を返し（ｓ２９）、指示された系統ａの開閉部５ａをオフ（ｓ２８）し暖房燃焼を停止する。
【００３４】
図示はしていないが、無線床暖房リモコン３ｂの場合も同様に、ｓ１６からｓ２９の流れで開閉弁５ｂがオン／オフする。同様に、無線床暖房リモコン３ｃからの場合もｓ１６からｓ２９の流れで開閉弁５ｃがオン／オフする。
【００３５】
（実施例２）
次に第２の実施例について説明する。図４は第２の実施例におけるタイミングチャートである。
【００３６】
中継器４は無線床暖房リモコン３ａ、３ｂ、３ｃが電池切れ予告電圧を検出するとタイマ予約機能を入とする。そして、現在時刻がタイマ入時刻と一致すると暖房運転を開始し（ｓ３０）、現在時刻がタイマ切時刻と一致すると暖房運転を停止（ｓ３１）する。中継器タイマ予約操作手段１９にてタイマ予約機能を切にする（ｓ３２）と、現在時刻が次のタイマ入時刻ｔ１と一致しても暖房運転は行わない（ｓ３３）。そして現在時刻が次のタイマ切時刻ｔ２と一致しても暖房運転は停止のまま（ｓ３４）である。
【００３７】
中継器４のタイマ予約機能の入切を表示する中継器タイマ予約表示手段２０は、タイマ予約機能の入切状態をＬＥＤなどの表示手段にて表示する。
【００３８】
【発明の効果】
以上のように本発明によると、無線リモコンの電池が消耗した場合でも、それ以前にタイマ予約運転の指示を中継器に送信しておけば、指示した時間になれば中継器と熱源機の間で自動的に通信を行いタイマ予約運転を行うため、信頼性の高い遠隔制御が実現できるとともに、施工性の向上を図ることができる。
【図面の簡単な説明】
【図１】本発明の実施例１における無線暖房制御装置のブロック図
【図２】同装置におけるデータフロー図
【図３】同装置における別のデータフロー図
【図４】本発明の実施例２におけるタイミングチャート
【図５】従来の暖房制御システムの構成図
【図６】従来のタイマ予約運転におけるデータフロー図
【符号の説明】
１  熱源機
２ａ、２ｂ、２ｃ  床暖用放熱パネル（放熱手段）
３ａ、３ｂ、３ｃ  無線床暖房リモコン（無線リモコン）
４  中継器
１６ａ、１６ｂ、１６ｃ  電池電圧検出手段
１９  中継器タイマ予約操作手段
２０  中継器タイマ予約表示手段
【図１】
2004191004.tif 000003
【図２】
2004191004.tif 000004
【図３】
2004191004.tif 000005
【図４】
2004191004.tif 000006
【図５】
2004191004.tif 000007
【図６】
2004191004.tif 000008